(57)【要約】【課題】少なくとも２枚の偏光板を端面でつなぎ合わせてなる継ぎ目偏光板において、その継ぎ目部分が画面上で目立たなくした大型偏光板を提供し、その大型偏光板を液晶表示装置に適用する。【解決手段】複数枚の偏光板を端面でつなぎ合わせてなる継ぎ目偏光板３１と、その継ぎ目偏光板３１の片側に設けられた光拡散層３５とを有し、継ぎ目偏光板３１の光拡散層側表面から光拡散層３５の継ぎ目偏光板３１に面しない側の表面までの距離ｄを１mm以上とした大型偏光板３０が提供される。例えば、継ぎ目偏光板３１と光拡散層３５の間に、光学的に等方性の透明層３９を配置することで、距離ｄを確保することができる。また、光拡散層３５の厚みを大きくしてもよい。この偏光板３０を液晶セル１０の片面に配置し、液晶セル１０の他面には別の偏光板２１を配置して、液晶表示装置とされる。【選択図】図７
2007187717.tif 000002
【特許請求の範囲】
【請求項１】
複数枚の偏光板を端面でつなぎ合わせてなる継ぎ目偏光板と、該継ぎ目偏光板の片側に設けられた光拡散層とを有し、継ぎ目偏光板の光拡散層側表面から光拡散層の継ぎ目偏光板に面しない側の表面までの距離が１mm以上離れていることを特徴とする、大型偏光板。
【請求項２】
吸収軸が短手方向にある請求項１に記載の大型偏光板。
【請求項３】
吸収軸と直交する方向の幅が１,３００mm 以上である請求項１又は２に記載の大型偏光板。
【請求項４】
継ぎ目偏光板と光拡散層との間に、光学的に等方性で厚みが１mm以上の透明層が配置されている請求項１〜３のいずれかに記載の大型偏光板。
【請求項５】
光学的に等方性の透明層は、透明なアクリル系樹脂からなるシートである請求項４に記載の大型偏光板。
【請求項６】
光拡散層は、光拡散性の粘着剤で構成される請求項１〜５のいずれかに記載の大型偏光板。
【請求項７】
光拡散層は、厚みが１mm以上の光拡散性樹脂シートで構成される請求項１〜３のいずれかに記載の大型偏光板。
【請求項８】
光拡散性樹脂シートは、アクリル系樹脂からなる光拡散シートである請求項７に記載の大型偏光板。
【請求項９】
継ぎ目偏光板は、端面で隣り合う２枚の偏光板の間隙が１００μm 以下となるようにつなぎ合わされている請求項１〜８のいずれかに記載の大型偏光板。
【請求項１０】
継ぎ目偏光板は、つなぎ合わされる２枚の偏光板の端面が、それぞれ該端面に対して平行に研磨された状態でつなぎ合わされるか、又はそれぞれ該端面に対して斜めに研磨された状態で該研磨面が平行となるようにつなぎ合わされている請求項１〜９のいずれかに記載の大型偏光板。
【請求項１１】
２枚のセル基板間に液晶が封入されてなる液晶セルと、その両面に配置された一対の偏光板とを備え、該一対の偏光板のうち一方は、複数枚の偏光板を端面でつなぎ合わせてなる継ぎ目偏光板と、該継ぎ目偏光板の片側に設けられた光拡散層とを有する大型偏光板であって、該光拡散層がセル基板に面するように、かつ、前記継ぎ目偏光板の光拡散層側表面から光拡散層が面するセル基板表面までの距離が１mm以上となるように配置されていることを特徴とする、液晶表示装置。
【請求項１２】
前記大型偏光板が、請求項１〜１０のいずれかに記載のものである請求項１１に記載の液晶表示装置。
【発明の詳細な説明】
【技術分野】
【０００１】
本発明は、少なくとも２枚の偏光板を面方向につなぎ合わせて配置する大型の偏光板に関するものである。詳しくは、このように少なくとも２枚の偏光板をつなぎ合わせても、その継ぎ目が認識されにくくした偏光板に関するものである。本発明はまた、かかる偏光板を用いた液晶表示装置にも関係している。
【背景技術】
【０００２】
現在、液晶テレビの超大型化が急速に進行しており、その液晶セルを構成するマザーガラス基板については、２ｍ×２ｍ程度まで大きくすることが可能であり、対角６０インチ（約１,５２０mm ）以上の超大型液晶テレビの製造が可能となってきている。そして、液晶テレビをはじめとする液晶表示装置では、液晶セルの前面（視認側）と背面（バックライト側）に、それぞれ偏光板を配置して、液晶層を通過する光を透過させ、又は遮断することにより、表示を行う方式が一般的であり、上下一対の偏光板は、それぞれの吸収軸が９０度で交わるように配置されることが多い。
【０００３】
すなわち、図１に模式的な斜視図で示すように、液晶表示装置は、液晶セル１０を挟んでその両側に前面側偏光板２１及び背面側偏光板２６が配置され、背面側偏光板２６の背後にはバックライト５０が配置されて、背面側偏光板２６、さらに液晶セル１０へと光を照射するようになっている。そして、前面側偏光板２１の吸収軸２２と背面側偏光板２６の吸収軸２７とが直交するように配置されている。一般に大型の液晶表示装置では、前面側偏光板２１の吸収軸２２が画面横方向（長手方向）、背面側偏光板２６の吸収軸２７が画面縦方向（短手方向）とされることが多い。
【０００４】
さて、偏光板は一般に、ポリビニルアルコール系樹脂フィルムにヨウ素などの二色性色素を吸着配向させた偏光子の少なくとも片面に、透明樹脂からなる保護フィルムを貼合した状態で製造される。二色性色素の吸着配向には延伸操作を伴うことから、偏光板の幅を無限に大きくすることは不可能である。具体的には図２に模式的な斜視図で示すように、偏光板２０はロール状で生産され、その長手方向に延伸されて、その方向が吸収軸２２となり、それに直交する方向、つまり幅方向が透過軸２４となる。そして、ロール状で生産される偏光板２０の幅ａは、現状ではたかだか、１,３００mm程度までとか１,５００mm程度までとかに限られている。
【０００５】
これに対し、縦×横の寸法比（アスペクト比と呼ばれる）が９：１６のハイビジョンテレビの場合、例えば、対角７２インチ（約１,８３０mm ）の液晶表示装置では、その縦横寸法が約９００mm×１,６００mmとなり、また例えば、対角８２インチ（約２,０８０mm）の液晶表示装置では、その縦横寸法が約１,０００mm×１,８００mmとなるので、吸収軸を短手方向とする偏光板、すなわち、透過軸が長手方向となる偏光板（図１の背面側偏光板２６）は、１枚で構成することができなくなる。そこで、このような超大型液晶テレビにおいては、透過軸が長手方向となる側（通常背面側）で、複数枚の偏光板を面内方向につなぎ合わせて、大面積の偏光面を形成している。
【０００６】
例えば、特開 2004-93825 号公報（特許文献１）には、複数の液晶パネルから構成される大型の液晶表示装置において、その背面側には、複数枚の偏光板をつなぎ合わせてなる偏光板を配置すること、好ましくは、個々の液晶パネルに対応させて１枚ずつ偏光板を配置することが開示されている。また、上記の如き対角８０インチ級の超大型液晶テレビにおいて、背面側には、画面の短手方向を吸収軸として、長手方向（幅方向）に２枚の偏光板をつなぎ合わせて配置することもある。
【０００７】
【特許文献１】特開２００４−９３８２５号公報
【発明の開示】
【発明が解決しようとする課題】
【０００８】
しかしながら、複数枚の偏光板を端面でつなぎ合わせ、しかも継ぎ目が目立たないようにするのは、製造技術上極めて困難であり、継ぎ目部分の表示領域に筋として現れる問題があった。そこで本発明は、上記従来の問題点を解決しようとするものであり、その目的は、少なくとも２枚の偏光板を端面でつなぎ合わせてなる継ぎ目偏光板において、その継ぎ目部分が画面上で目立たなくした大型偏光板を提供し、その大型偏光板を液晶表示装置に適用することにある。
【課題を解決するための手段】
【０００９】
すなわち、本発明による大型偏光板は、複数枚の偏光板を端面でつなぎ合わせてなる継ぎ目偏光板と、その継ぎ目偏光板の片側に設けられた光拡散層とを有し、継ぎ目偏光板の光拡散層側表面から光拡散層の継ぎ目偏光板に面しない側の表面までの距離が１mm以上離れているものである。
【００１０】
このような継ぎ目のある偏光板は、前述の如く透過軸方向の幅が広いものに対して必要となる。そこでこの大型偏光板は、吸収軸が短手方向にある偏光板に対して有効である。また、吸収軸に直交する方向（透過軸方向）の幅が１,３００mm 以上である場合、さらには１,５００mm 以上である場合に、特に有効である。
【００１１】
継ぎ目偏光板の光拡散層側表面から光拡散層の継ぎ目偏光板に面しない側の表面までの距離を１mm以上とするためには、例えば、継ぎ目偏光板と光拡散層との間に、光学的に等方性で厚みが１mm以上の透明層を配置すればよい。かかる透明層として、例えば、透明なアクリル系樹脂からなるシートを挙げることができる。具体的には、継ぎ目偏光板の片側に、光学的に等方性で厚みが１mm以上の透明層、例えば、透明なアクリル系樹脂シートを配置し、さらにその表面に光拡散層を配置する構成とすることができる。
【００１２】
また、前記の光拡散層は、光拡散性の粘着剤で構成することもできる。
【００１３】
これとは別に、光拡散層は、厚みが１mm以上の光拡散性樹脂シートで構成してもよい。光拡散性の樹脂シートとして、具体的には、アクリル系樹脂からなる光拡散シートを挙げることができる。より具体的には、継ぎ目偏光板の片側に、厚みが１mm以上の光拡散性樹脂シートを配置した構成とすることができる。
【００１４】
継ぎ目偏光板は、端面で隣り合う２枚の偏光板の間隙が１００μm 以下となるようにつなぎ合わせるのが好ましい。また継ぎ目偏光板は、つなぎ合わされる２枚の偏光板の端面を、それぞれの端面に対して平行に研磨された状態でつなぎ合わせることもできるし、また、それぞれの端面に対して斜めに研磨された状態でその研磨面が平行となるようにつなぎ合わせることもできる。
【００１５】
さらに本発明によれば、２枚のセル基板間に液晶が封入されてなる液晶セルと、その両面に配置された一対の偏光板とを備え、それら一対の偏光板のうち一方は、複数枚の偏光板を端面でつなぎ合わせてなる継ぎ目偏光板と、その継ぎ目偏光板の片側に設けられた光拡散層とを有する大型偏光板であって、その光拡散層がセル基板に面するように、かつ前記継ぎ目偏光板の光拡散層側表面から光拡散層が面するセル基板表面までの距離が１mm以上となるように配置されている液晶表示装置も提供される。この液晶表示装置において、継ぎ目を有する大型偏光板は、典型的には上記の本発明において規定するもので構成することができる。
【発明の効果】
【００１６】
本発明によれば、継ぎ目偏光板の片側に光拡散層を配置し、かつ継ぎ目偏光板の光拡散層側表面から光拡散層の継ぎ目偏光板に面しない側の表面までの距離が、１mm以上離れるようにしたことで、継ぎ目偏光板を通過する直線偏光が拡散され、その継ぎ目が目立たなくなる。
【発明を実施するための最良の形態】
【００１７】
以下、添付の図面も適宜参照しながら、本発明を詳細に説明する。本発明では、複数枚の偏光板を端面でつなぎ合わせてなる継ぎ目偏光板の片側に光拡散層を配置し、継ぎ目偏光板の光拡散層側表面から光拡散層の継ぎ目偏光板に面しない側の表面までの距離が１mm以上となるようにして、大型の偏光板を構成する。
【００１８】
図３は、本発明に係る大型偏光板の一形態を示す断面模式図であって、液晶セルも同時に描かれている。この例では、継ぎ目偏光板３１と光拡散層３５の間に透明層３９を配置して、継ぎ目偏光板３１の光拡散層側表面から光拡散層３５の継ぎ目偏光板に面しない側の表面までの距離ｄが１mm以上となるようにしている。継ぎ目偏光板３１は、継ぎ目３２を有しており、吸収軸に平行な端面が継ぎ目３２となるようにつなぎ合わされている。この例では、透明層３９の厚さを１mm以上とすればよい。継ぎ目偏光板３１、透明層３９及び光拡散層３５が積層された状態で、本発明の大型偏光板３０が構成される。この大型偏光板３０は、光拡散層３５側が液晶セル１０に面するように配置される。したがって、継ぎ目偏光板３１の光拡散層側表面から光拡散層３５の継ぎ目偏光板に面しない側の表面までの距離ｄは、継ぎ目偏光板３１の光拡散層側表面から液晶セル１０の光拡散層に面する側のセル基板表面までの距離ともなる。
【００１９】
継ぎ目偏光板の光拡散層側表面から光拡散層の継ぎ目偏光板に面しない側の表面までの距離ｄは、液晶セルの前面側から見たときに継ぎ目偏光板３１の継ぎ目３２が目立たなくなるように、１mm以上とする。この距離ｄは、５mm以上であるのがより好ましく、さらには１０mm以上であるのがより一層好ましい。
【００２０】
光拡散層３５は、ヘイズ２０％以上であるのが好ましく、さらにはヘイズ４０％以上、とりわけヘイズ６０％以上であるのが一層好ましい。ヘイズは、 JIS K 7105 に規定される値であって、（拡散透過率／全光線透過率）×１００（％）で表される。光拡散層３５のヘイズが小さくなると、前面側から観察したときに継ぎ目偏光板３１の継ぎ目３２が見えてしまうので、好ましくない。
【００２１】
光拡散層３５は、例えば、熱可塑性樹脂中に微粒子が分散している樹脂製のフィルムやシート、粘着剤中に微粒子が分散している光拡散性の粘着剤などであることができる。光拡散性を発現させる微粒子としては、ポリメチルメタクリレート、ポリスチレン、シリカなどからなるものが挙げられ、これらのいずれかが、アクリル樹脂などの熱可塑性樹脂中に分散しているものや、粘着剤中に分散しているものなどが、光拡散層３５として使用できる。なかでも、光拡散層３５として光拡散性の粘着剤を用いれば、貼合枚数が少なくなるので、好ましい。
【００２２】
透明層３９は、光学的に等方性のもの、すなわち無配向のものとするのが、特に無配向の樹脂シートで構成するのが、軽量化や光学特性の面で好ましい。光学的に等方性の樹脂シートとして、例えば、透明なアクリル系樹脂からなるシートや、ノルボルネンの如き環状オレフィンをモノマーとする環状オレフィン系樹脂からなるシートなどが挙げられる。
【００２３】
大型偏光板３０の積層順序は、液晶セル１０側から光拡散層３５／透明層３９／継ぎ目偏光板３１となるようにすれば、継ぎ目がより目立たなくなるので、好ましい。継ぎ目偏光板３１の光拡散層側表面から光拡散層３５の継ぎ目偏光板に面しない側の表面までの距離ｄが大きいほど、継ぎ目３２が目立たなくなるので、一層好ましい。
【００２４】
図４は、本発明に係る大型偏光板のもう一つの形態を示す断面模式図であって、ここでも、液晶セルが同時に描かれている。この例では、継ぎ目偏光板３１の片側に配置される光拡散層を、厚みが１mm以上の光拡散性樹脂シート３６で構成し、継ぎ目偏光板３１の光拡散層側表面から光拡散性樹脂シート３６の継ぎ目偏光板に面しない側の表面までの距離ｄが１mm以上となるようにしている。継ぎ目偏光板３１は、継ぎ目３２を有しており、吸収軸に平行な端面が継ぎ目３２となるようにつなぎ合わされている。継ぎ目偏光板３１と光拡散性樹脂シート３６が積層された状態で、本発明の大型偏光板３０が構成される。この場合も、大型偏光板３０は、光拡散性樹脂シート３６側が液晶セル１０に面するように配置される。
【００２５】
この形態で用いる光拡散性樹脂シート３６も、ヘイズ２０％以上であるのが好ましく、さらにはヘイズ４０％以上、とりわけヘイズ６０％以上であるのが一層好ましい。光拡散性樹脂シートは、光拡散層３５の例として先に図３を参照して説明したような、熱可塑性樹脂中に微粒子が分散している樹脂製のシートで構成することができる。典型的には、アクリル樹脂中に、先に例示したような光拡散性の微粒子が分散しているアクリル系樹脂からなる光拡散シートを挙げることができる。この形態では、光拡散性樹脂シート３６の厚みを１mm以上とすればよいが、その厚みは、５mm以上であるのがより好ましく、さらには１０mm以上であるのがより一層好ましい。
【００２６】
図３及び図４における継ぎ目偏光板３１は、具体的には、ポリビニルアルコール系樹脂フィルムからなる偏光子の両面に透明保護層を設けたもので構成することができる。偏光子としては、ポリビニルアルコール系樹脂フィルムにヨウ素が吸着配向したヨウ素系偏光フィルムや、ポリビニルアルコール系樹脂フィルムに二色性有機染料が吸着配向した染料系偏光フィルムがあるが、いずれも使用可能である。
【００２７】
図３及び図４いずれの形態においても、継ぎ目偏光板３１の継ぎ目３２は、その間隙が小さいほど好ましく、例えば、１００μm以下、さらには５０μm以下、とりわけ２０μm 以下となるようにするのが好ましい。
【００２８】
継ぎ目偏光板３１の継ぎ目３２となる端面は、バリやカケなどの微小な端面不具合を少なくすることで、より隙間のない状態でつなぎ合わせることができる。微小な端面不具合を少なくするには、種々の端面処理法を用いて端面研磨する方法が採用でき、その処理法の種類は問わない。
【００２９】
少なくとも２枚の偏光板をその端面でつなぎ合わせるにあたっては、偏光子のみを端面でつなぎ合わせた後、広幅の透明保護層で狭持する方法や、すでに透明保護層を有している偏光板同士を端面でつなぎ合わせる方法など、任意の方法をとることができ、その方法は特に限定されない。
【００３０】
図５は、つなぎ合わされる２枚の偏光板における端面の状態の例を、断面模式図で示したものである。図５の（Ａ）に示すように、つなぎ合わされる２枚の偏光板の端面が、それぞれの端面に対して平行に研磨された状態でつなぎ合わせるのも有効であるし、また同（Ｂ）に示すように、それぞれの端面に対して斜めに研磨された状態で、その研磨面同士が平行となるようにつなぎ合わせるのも有効である。
【００３１】
また、間隙を埋めるため、表示品位を下げない程度に偏光子同士が端部で部分的に重なるようにしてもよい。
【００３２】
本発明の大型偏光板は、以上説明したように、継ぎ目偏光板とその片側に設けられた光拡散層を有するものであるが、その他に、液晶層や偏光板の視野角補償に必要な位相差フィルムなど、適宜な光学層を積層することもできる。このような追加の光学層は、液晶セルと継ぎ目偏光板の間で必要な個所に、適宜配置すればよい。
【００３３】
次に、液晶表示装置について説明する。図６は、本発明に係る液晶表示装置の基本的構成を示す断面模式図である。この図に示すように、液晶表示装置は一般に、２枚のセル基板（図示せず）の間に液晶が封入されてなる液晶セル１０と、その両面に配置された一対の偏光板２１，３０とを備えている。そして本発明では、それら一対の偏光板２１，３０のうち一方３０は、複数枚の偏光板を端面でつなぎ合わせてなる継ぎ目偏光板３１と、その継ぎ目偏光板の片側に設けられた光拡散層３５とを有する大型偏光板であって、その光拡散層３５がセル基板に面するように、かつ、前記継ぎ目偏光板３１の光拡散層側表面から光拡散層３５が面するセル基板表面までの距離ｄが１mm以上となるように配置する。継ぎ目偏光板３１は、継ぎ目３２を有している。また、継ぎ目のある偏光板３０の外側にはバックライト５０が配置されている。そして、背面側に配置されたバックライト５０からの光のうち、液晶セル１０とバックライト５０の間にある背面側偏光板３０の透過軸に平行な直線偏光だけが液晶セル１０に入射するようになっている。
【００３４】
背面側偏光板３０は、継ぎ目３２を有する継ぎ目偏光板３１で構成されるが、その継ぎ目偏光板３１の液晶セル側に光拡散層３５を配置し、かつ、継ぎ目偏光板３１の光拡散層側表面から光拡散層３５が面するセル基板表面までの距離ｄが１mm以上となるようにすることで、前面側から観察したときに、継ぎ目偏光板３１の継ぎ目３２が目立たないようにしている。この距離ｄは、５mm以上であるのがより好ましく、さらには１０mm以上であるのがより一層好ましい。この背面側偏光板として、典型的には、先に図４及び図５を参照して説明したような、それぞれの大型偏光板を用いることができる。
【００３５】
図７は、図３に示した大型偏光板を配置した液晶表示装置の形態であって、（Ａ）はその断面模式図である。この例では、継ぎ目偏光板３１／透明層３９／光拡散層３５が積層された状態で大型偏光板３０を構成し、その大型偏光板３０が液晶セル１０の背面側に、かつその光拡散層３５が液晶セル１０のセル基板に面するように配置され、液晶セル１０の前面側には、１枚ものの前面側偏光板２１が配置されている。さらに、背面側（継ぎ目あり）偏光板３０の背後にはバックライト５０が配置されている。そして、継ぎ目偏光板３１の光拡散層側表面から光拡散層が面するセル基板表面まで（光拡散層３５の継ぎ目偏光板に面しない側の表面までと同じ）の距離ｄを１mm以上保って、前面側から観察したときに継ぎ目３２が目立たないようにしている。
【００３６】
図７の（Ｂ）は、同（Ａ）に示した部材のうち、前面側偏光板２１、液晶セル１０、背面側の継ぎ目偏光板３１及びバックライト５０だけを取り出し、特に一対の偏光板２１，３１の軸関係がわかるようにした模式的な斜視図である。この図に示すように、前面側偏光板２１の吸収軸２２は、画面の長手方向（横方向）、また背面側の継ぎ目偏光板３１の吸収軸３３は、画面の短手方向（縦方向）となっており、上下一対の偏光板は、それぞれの吸収軸が直交するように配置されている。
【００３７】
前面側偏光板２１は、ポリビニルアルコール系樹脂フィルムからなる偏光子の片面又は両面に透明保護膜が設けられた一般的なもので構成することができる。偏光子としては、ポリビニルアルコール系樹脂フィルムにヨウ素が吸着配向された吸着配向したヨウ素系偏光フィルムや、ポリビニルアルコール系樹脂フィルムに二色性有機染料が吸着配向した染料系偏光フィルムがあるが、いずれも使用可能である。前面側偏光板２１は、長手方向に吸収軸があるため、１枚もので構成することができる。
【００３８】
液晶セル１０は、透過光量をスイッチングするために液晶を２枚の基板間に封入し、電圧印加により液晶の配向状態を変化させる機能を有するものであればよい。液晶セル１０を構成する液晶の種類やその駆動方式は特に限定されず、公知の垂直配向（ＶＡ）方式、横電界（ＩＰＳ）方式、ツイステッドネマティック（ＴＮ）方式など、偏光を用いて表示を行う各種方式の液晶セルに対して、本発明を適用することができる。
【実施例】
【００３９】
以下、実施例及び比較例を示して本発明をさらに具体的に説明するが、本発明はこれらの例によって限定されるものではない。
【００４０】
［実施例１］
液晶セルの前面側に、住友化学（株）製でポリビニルアルコール−ヨウ素系偏光子の両面にセルロース系の保護フィルムが貼合された偏光板“SRN542A-SL6” の１枚ものを貼合し、背面側には、粘着剤中に微粒子が分散している厚さ２５μm の光拡散性粘着剤（ヘイズ７０％）／厚さ２０mmの透明アクリル樹脂板／上と同じ偏光板“SRN542A” であるが吸収軸に平行な端面で継ぎ目間隙が５０μm となるように２枚をつなぎ合わせた継ぎ目偏光板の順で、かつ継ぎ目偏光板の吸収軸が前面側偏光板の吸収軸と直交するように貼合し、液晶表示装置を作製した。
【００４１】
この状態で、継ぎ目偏光板の背面側に配置されたバックライトを点灯し、前面側の正面及び斜めから目視観察して、継ぎ目が確認されるかどうかを判定した。その結果、正面から観察しても斜めから観察しても、継ぎ目は確認されなかった。
【００４２】
［実施例２］
透明アクリル樹脂板の厚さを１５mmにした以外は、実施例１と同様にして液晶表示装置を作製し、評価した。その結果、斜めから観察したときには継ぎ目がわずかに確認されたが、正面からは継ぎ目が確認されなかった。
【００４３】
［実施例３］
継ぎ目偏光板の継ぎ目間隙を３０μm にした以外は、実施例２と同様にして液晶表示装置を作製し、評価した。その結果、正面から観察しても斜めから観察しても、継ぎ目は確認されなかった。
【００４４】
［実施例４］
継ぎ目偏光板の継ぎ目間隙を１０μm にした以外は、実施例２と同様にして液晶表示装置を作製し、評価した。その結果、正面から観察しても斜めから観察しても、継ぎ目は確認されなかった。
【００４５】
以上の実施例１〜４の積層構成は、図８に断面模式図で示すとおりであって、液晶セル１０の前面側に１枚もの偏光板２１が貼合され、背面側には、光拡散性粘着剤３７を介して、透明アクリル樹脂板３９と、継ぎ目３２を有する継ぎ目偏光板３１とが、この順に貼合されている。継ぎ目偏光板３１、透明アクリル樹脂板３９及び光拡散性粘着剤３７が積層された状態が、本発明で規定する大型偏光板３０になる。前面側偏光板２１の吸収軸は紙面の横方向、そして継ぎ目偏光板３１の吸収軸は継ぎ目３２の伸びる方向、すなわち紙面を突き切る方向である。継ぎ目偏光板３１の透明アクリル樹脂板側表面から光拡散性粘着剤３７のセル側表面までの距離ｄは、実施例１で２０mm、実施例２〜４で１５mmとなっている。
【００４６】
［比較例１］
実施例３で液晶セルの背面側に配置したのと同じ継ぎ目間隙が３０μm の継ぎ目偏光板“SRN542A”を、液晶セルの背面側に直接、厚さ２５μmの透明な粘着剤（ヘイズ０％）を介して貼合した以外は、実施例１と同様にして液晶表示装置を作製した。この例における積層構成は、図９に断面模式図で示すとおりであって、液晶セル１０の前面側に１枚もの偏光板２１が貼合され、背面側には、継ぎ目３２を有する継ぎ目偏光板３１が透明な粘着剤３８を介して貼合されている。この状態で実施例１と同様に評価したところ、正面から観察しても斜めから観察しても、ともに継ぎ目がはっきりと確認された。
【００４７】
［比較例２］
液晶セルの背面側に、実施例１で用いたのと同じ光拡散性粘着剤（ヘイズ７０％）／比較例１で用いたのと同じ継ぎ目間隙が３０μm の継ぎ目偏光板“SRN542A” の順で貼合した以外は、実施例１と同様にして液晶表示装置を作製した。この例における積層構成は、図１０に断面模式図で示すとおりであって、液晶セル１０の前面側に１枚もの偏光板２１が貼合され、背面側には、光拡散性粘着剤３７を介して、継ぎ目３２を有する継ぎ目偏光板３１が貼合されている。この状態で実施例１と同様に評価したところ、正面から観察しても斜めから観察しても、ともに継ぎ目がはっきりと確認された。
【００４８】
［比較例３］
液晶セルの背面側に、厚さ２５μm の透明な粘着剤（ヘイズ０％）／厚さ２０mmの透明アクリル樹脂板／比較例１で用いたのと同じ継ぎ目間隙が３０μm の継ぎ目偏光板 “SRN542A”の順で貼合した以外は、実施例１と同様にして液晶表示装置を作製した。この例における積層構成は、図１１に断面模式図で示すとおりであって、液晶セル１０の前面側に１枚もの偏光板２１が貼合され、背面側には透明な粘着剤３８を介して、透明アクリル樹脂板３９と、継ぎ目３２を有する継ぎ目偏光板３１とが、この順に貼合されている。この状態で実施例１と同様に評価したところ、正面から観察しても斜めから観察しても、ともに継ぎ目がはっきりと確認された。
【００４９】
以上の実施例及び比較例の主な配置条件と観察結果を、表１にまとめた。
【００５０】
【表１】
2007187717.tif 000003
【００５１】
表１に示すとおり、継ぎ目偏光板と液晶セルの間に光拡散層を設けなかった比較例１及び３や、光拡散層を設けたが継ぎ目偏光板の表面から光拡散層の継ぎ目偏光板に面しない側の表面まで（液晶セル基板の継ぎ目偏光板側表面まで）の距離が小さい比較例２では、継ぎ目がはっきりと観察された。これに対し、本発明に従って、継ぎ目偏光板と液晶セルの間に光拡散層を設けるとともに、継ぎ目偏光板の表面から光拡散層の継ぎ目偏光板に面しない側の表面まで（液晶セル基板の継ぎ目偏光板側表面まで）の距離を十分にとった実施例１〜４では、偏光板の継ぎ目がほとんど又はまったく観察されない状態になった。特に、継ぎ目偏光板の表面から光拡散層の継ぎ目偏光板に面しない側の表面までの距離を大きくとるか、又は継ぎ目間隙を小さくすることにより、継ぎ目が目立たなくなる。
【図面の簡単な説明】
【００５２】
【図１】液晶セルとそれを挟む一対の偏光板の関係を模式的に示す斜視図である。
【図２】ロール状で生産される偏光板の軸関係を模式的に示す斜視図である。
【図３】本発明に係る大型偏光板の一形態を示す断面模式図である。
【図４】本発明に係る大型偏光板の別の形態を示す断面模式図である。
【図５】２枚の偏光板をつなぎ合わせる形態を示す断面模式図である。
【図６】本発明に係る液晶表示装置の基本的構成を示す断面模式図である。
【図７】本発明に係る液晶表示装置の一形態を示し、（Ａ）は断面模式図、（Ｂ）は軸関係を説明するための模式的な斜視図である。
【図８】実施例１〜４の積層構成を示す断面模式図である。
【図９】比較例１の積層構成を示す断面模式図である。
【図１０】比較例２の積層構成を示す断面模式図である。
【図１１】比較例３の積層構成を示す断面模式図である。
【符号の説明】
【００５３】
１０……液晶セル、
２０……ロール状の偏光板、
ａ……ロール偏光板の幅、
２１……前面側偏光板、
２２……（前面側）偏光板の吸収軸、
２４……偏光板の透過軸、
２６……背面側偏光板、
２７……背面側偏光板の吸収軸、
３０……大型偏光板、
３１……継ぎ目偏光板、
３２……継ぎ目偏光板の継ぎ目、
３３……継ぎ目偏光板の吸収軸、
３５……光拡散層、
３６……光拡散性樹脂シート、
３７……光拡散性粘着剤、
３８……透明な粘着剤、
３９……透明層、
ｄ……継ぎ目偏光板の表面から光拡散層の表面（セル基板）までの距離、
５０……バックライト。
【図１】
2007187717.tif 000004
【図２】
2007187717.tif 000005
【図３】
2007187717.tif 000006
【図４】
2007187717.tif 000007
【図５】
2007187717.tif 000008
【図６】
2007187717.tif 000009
【図７】
2007187717.tif 000010
【図８】
2007187717.tif 000011
【図９】
2007187717.tif 000012
【図１０】
2007187717.tif 000013
【図１１】
2007187717.tif 000014